(57)【要約】【課題】予備発光時の反射光量に基づいて、適切に閃光撮影時の本発光量を決定すること。【解決手段】撮像装置１００は、閃光撮影前の予備発光と閃光撮影時の本発光とを行う閃光手段３００へ発光を指示する発光指示手段１０３と、撮影光学系２１０を通して予備発光時の反射光を測光する測光手段１０３と、予備発光時の撮影光学系２１０の絞り２２０の絞り値、予備発光時の閃光手段３００による発光量、および測光手段１０３による測光結果に基づいて本発光量を演算する演算手段１０３と、本発光量で本発光を行うように閃光手段３００を制御する制御手段１０３と、絞り２２０の誤差情報に基づいて、予備発光時に絞り込む絞り値を制限する制限手段１０３と、を備える。【選択図】図２
2013134311.tif 000002
【特許請求の範囲】
【請求項１】
閃光撮影前の予備発光と閃光撮影時の本発光とを行う閃光手段へ発光を指示する発光指示手段と、
撮影光学系を通して前記予備発光時の反射光を測光する測光手段と、
前記予備発光時の前記撮影光学系の絞りの絞り値、前記予備発光時の前記閃光手段による発光量、および前記測光手段による測光結果に基づいて本発光量を演算する演算手段と、
前記本発光量で前記本発光を行うように前記閃光手段を制御する制御手段と、
前記絞りの誤差情報に基づいて、前記予備発光時に絞り込む前記絞り値を制限する制限手段と、
を備えることを特徴とする撮像装置。
【請求項２】
請求項１に記載の撮像装置において、
前記絞りの誤差情報は、絞り込み後の開口径のばらつきを表すことを特徴とする撮像装置。
【請求項３】
請求項２に記載の撮像装置において、
前記絞りの誤差情報は、前記絞りに設定される絞り値ごとの値を有し、
前記制御手段は、前記ばらつきを所定値以下とする絞り値に制限することを特徴とする撮像装置。
【請求項４】
請求項１〜３に記載の撮像装置において、
レンズ鏡筒との間で通信を行う通信手段をさらに備え、
前記制御手段は、前記通信手段を介して受信した前記絞りの誤差情報に基づいて、前記予備発光時に絞り込む前記絞り値を制限することを特徴とする撮像装置。
【請求項５】
請求項４に記載の撮像装置において、
前記レンズ鏡筒は、前記撮影光学系および前記絞りの誤差情報を記憶する記憶手段を含むことを特徴とする撮像装置。
【発明の詳細な説明】
【技術分野】
【０００１】
本発明は、撮像装置に関する。
【背景技術】
【０００２】
従来から、デジタルカメラに内蔵または装着される閃光装置において、該閃光装置を撮影前に小光量で発光（いわゆる予備発光）し、該予備発光時に撮影レンズを介して受光される被写体からの反射光量に基づいて、閃光撮影時に閃光装置から発すべき発光量を決定する技術が知られている（特許文献１参照）。
【先行技術文献】
【特許文献】
【０００３】
【特許文献１】特開２００６−３１７６７４号公報
【発明の概要】
【発明が解決しようとする課題】
【０００４】
一般に、撮影レンズの虹彩絞りは、絞り込んだ時にばらつきが生じる。すなわち、毎回絞り込んだときの繰り返しばらつきにより、目標とする絞り値（設定絞り値）と実際の絞り値との間に設定誤差が生じる。このため、予備発光を行う際に撮影レンズの絞りを制御する場合、絞りの上記設定誤差によって受光される反射光量に誤差が生じることから、決定される撮影時の発光量に影響が及ぶという問題があった。
【課題を解決するための手段】
【０００５】
本発明による撮像装置は、閃光撮影前の予備発光と閃光撮影時の本発光とを行う閃光手段へ発光を指示する発光指示手段と、撮影光学系を通して予備発光時の反射光を測光する測光手段と、予備発光時の撮影光学系の絞りの絞り値、予備発光時の閃光手段による発光量、および測光手段による測光結果に基づいて本発光量を演算する演算手段と、本発光量で本発光を行うように閃光手段を制御する制御手段と、絞りの誤差情報に基づいて、予備発光時に絞り込む絞り値を制限する制限手段と、を備えることを特徴とする。
【発明の効果】
【０００６】
本発明による撮像装置では、予備発光時の反射光量に基づいて、適切に閃光撮影時の本発光量を決定できる。
【図面の簡単な説明】
【０００７】
【図１】本発明の一実施の形態によるレンズ交換式のカメラシステムを例示する斜視図である。
【図２】カメラシステムを説明する断面図である。
【図３】ボディ側制御部が閃光撮影動作時に実行する処理の流れを例示するフローチャートである。
【発明を実施するための形態】
【０００８】
以下、図面を参照して本発明を実施するための形態について説明する。図１は、本発明の一実施の形態によるレンズ交換式のカメラシステムを例示する斜視図である。なお、図１では本発明に係わる機器および装置のみを示し、それ以外の機器および装置については図示と説明を省略する。カメラシステム１は、カメラボディ１００と、カメラボディ１００に着脱可能な交換レンズ２００と、カメラボディ１００に着脱可能な閃光装置３００とから構成される。
【０００９】
カメラボディ１００の前面には、交換レンズ２００を着脱可能に取り付けるためのボディ側レンズマウント１０１が設けられている。カメラボディ１００の上面には、閃光装置３００を着脱可能に取り付けるためのアクセサリー取り付け部１０５が設けられている。
【００１０】
交換レンズ２００には、ボディ側レンズマウント１０１と嵌合するレンズ側レンズマウント２０１が設けられている。交換レンズ２００がカメラボディ１００に装着されると、ボディ側レンズマウント１０１上に設けられた複数の接点から成る接点群１０２（図２）が、交換レンズ２００のレンズ側レンズマウント２０１上に設けられた複数の接点から成る接点群２０２（図２）に接続される。接点群１０２、２０２は、カメラボディ１００から交換レンズ２００への電力供給、および、カメラボディ１００と交換レンズ２００との間の通信に使用される。
【００１１】
カメラボディ１００から交換レンズ２００への通信内容には、交換レンズ２００側の情報を求める要求や、フォーカシングレンズ２１０ｂ（図２）の駆動指示、絞り２２０（図２）の駆動指示などが含まれる。
【００１２】
交換レンズ２００からカメラボディ１００への通信内容には、フォーカス位置を示すデータや、ズームレンズ２１０ｃ（図２）の現在の位置を示すデータ、および後述する絞りバラツキ誤差情報AvOfs などが含まれる。
【００１３】
閃光装置３００には、カメラボディ１００のアクセサリー取り付け部１０５に嵌合する取り付け部が設けられている。閃光装置３００がカメラボディ１００に装着されると、アクセサリー取り付け部１０５に設けられている接点（不図示）を介してカメラボディ１００と閃光装置３００との間で所定の通信が行われる。通信内容には、発光を指示する情報、発光量を示す情報、および発光準備状態を知らせる情報が含まれる。
【００１４】
カメラボディ１００内のボディ側レンズマウント１０１の後方には、撮像素子１０４が設けられる。カメラボディ１００の上方には、入力装置たるレリーズボタン１０７が設けられている。ユーザはレリーズボタン１０７等の入力装置を用いてカメラボディ１００に対する撮影指示や撮影条件の設定指示等を行う。
【００１５】
＜交換レンズ＞
図２は、上記カメラシステム１を説明する断面図である。交換レンズ２００は、被写体像を結像させる結像光学系２１０、および光束を制限する虹彩絞り（以下絞りという）２２０を備える。結像光学系２１０は複数のレンズ２１０ａ〜２１０ｃにより構成されている。フォーカシングレンズ２１０ｂは、被写体像のピント位置を調節するためのレンズである。ズームレンズ２１０ｃは、変倍調節するためのレンズである。
【００１６】
交換レンズ２００の鏡筒内部には、交換レンズ２００の各部の制御を司るレンズ側制御部２０３が設けられている。レンズ側制御部２０３は不図示のマイクロコンピュータおよびその周辺回路等により構成される。レンズ側制御部２０３には、レンズ側第１通信部２１７、レンズ側第２通信部２１８、フォーカシングレンズ駆動部２１２、フォーカシングレンズ位置検出部２１３、ズームレンズ位置検出部２１９、絞り駆動部２１１、絞り位置検出部２１４、ＲＯＭ２１５、およびＲＡＭ２１６が接続されている。
【００１７】
レンズ側第１通信部２１７およびレンズ側第２通信部２１８は、接点群２０２を介してカメラボディ１００との間で信号の授受を行うことにより、カメラボディ１００との通信を行う。フォーカシングレンズ駆動部２１２は、例えばステッピングモータ等のアクチュエータを有し、フォーカシングレンズ駆動部２１２に入力された信号に応じてフォーカシングレンズ２１０ｂを駆動する。フォーカシングレンズ位置検出部２１３は、例えばフォーカシングレンズ駆動部２１２が有するステッピングモータに入力された信号のパルス数を計数して、フォーカシングレンズ２１０ｂの位置を検出する。あるいは、交換レンズ２００に設けられた周知の距離エンコーダ等を用いてフォーカシングレンズ２１０ｂの位置を検出してもよい。ズームレンズ位置検出部２１９は、例えば交換レンズ２００に設けられたエンコーダを用いてズームレンズ２１０ｃの位置を検出する。
【００１８】
絞り駆動部２１１は、絞り駆動部２１１に入力された信号に応じて絞り２２０を駆動し、その口径を変化させる。絞り位置検出部２１４は、絞り２２０の状態（駆動方向（開方向または閉方向）および設定絞り値）を検出する。ＲＯＭ２１５は不揮発性の記憶媒体であり、レンズ側制御部２０３が実行する所定の制御プログラム等が予め記憶される。ＲＡＭ２１６は揮発性の記憶媒体であり、レンズ側制御部２０３により各種データの記憶領域として利用される。
【００１９】
＜カメラボディ＞
撮像素子１０４の前面には、光学的ローパスフィルターや赤外線カットフィルターを組み合わせた光学フィルター１１６が設けられている。結像光学系２１０からの被写体光は、フィルター１１６を介して撮像素子１０４に入射する。カメラボディ１００の内部には、カメラボディ１００の各部の制御を司るボディ側制御部１０３が設けられている。ボディ側制御部１０３は不図示のマイクロコンピュータ、ＲＡＭおよびその周辺回路等により構成される。ボディ側制御部１０３にはボディ側第１通信部１１７、ボディ側第２通信部１１８、およびレンズ着脱検知部１１９が接続されている。
【００２０】
ボディ側第１通信部１１７は、接点群１０２を介して交換レンズ２００内のレンズ側第１通信部２１７との間で信号の授受を行うことにより、レンズ側第１通信部２１７との通信を行う。同様に、ボディ側第２通信部１１８は、接点群１０２を介して交換レンズ２００内のレンズ側第２通信部２１８との間で信号の授受を行うことにより、レンズ側第２通信部２１８との通信を行う。レンズ着脱検知部１１９は接点群１０２のうち所定の接点の信号レベルに基づいて交換レンズ２００の着脱を検知する。
【００２１】
カメラボディ１００の背面には、ＬＣＤパネル等により構成される表示装置１１１が配設される。ボディ側制御部１０３はこの表示装置１１１に対し、撮像素子１０４の出力に基づく被写体の画像（いわゆるスルー画）や、撮影条件等を設定するための各種のメニュー画面を表示させる。
【００２２】
ボディ側制御部１０３はさらに、撮像素子１０４の出力に基づく被写体輝度に基づいて露出や撮像感度などの撮影時の制御情報を決定する。レリーズボタン１０７（図１）が押下されると、交換レンズ２００からの被写体光束を撮像素子１０４へ導く。そして、撮像素子１０４により被写体像を撮影する。
【００２３】
また、ボディ側制御部１０３は、撮影補助光を用いた撮影を行う場合に、撮影時の発光（本発光と呼ぶ）に先立って閃光装置３００を小光量で発光させ（予備発光と呼ぶ）、該予備発光時の被写界からの反射光量に基づいて本発光時の発光量を決定する。反射光量は、撮像素子１０４の出力に基づいて算出する。
【００２４】
＜閃光装置＞
閃光装置３００の内部には、閃光装置３００の各部の制御を司る閃光装置側制御部３０３と発光部３０４が設けられている。閃光装置側制御部３０３は、不図示のマイクロコンピュータおよびその周辺回路等により構成される。閃光装置側制御部３０３には、発光部３０４が接続されている。
【００２５】
閃光装置側制御部３０３は、上述したカメラボディ１００のアクセサリー取り付け部１０５の接点（不図示）を介してカメラボディ１００との間で信号の授受を行うことにより、カメラボディ１００との間で通信を行う。発光部３０４は、不図示の充電回路、コンデンサおよび放電管を含む。発光部３０４は、内蔵されるバッテリー（不図示）の電力によりコンデンサーを充電して発光エネルギーを蓄え、この発光エネルギーを放電管で放電させて発光する。
【００２６】
＜閃光撮影動作＞
本実施形態は、上記カメラシステム１で行う閃光撮影（とくに閃光装置３００を予備発光して本発光量を決定する点）に特徴を有するので、以降の説明は閃光撮影動作を中心に行う。
【００２７】
図３は、ボディ側制御部１０３が閃光撮影動作時に実行する処理の流れを例示するフローチャートである。ボディ側制御部１０３は、カメラボディ１００に設けられている不図示のメインスイッチがオンされ、カメラシステム１の各部へ電力が供給されている場合に図３による処理を繰り返し実行する。
【００２８】
図３のステップ２０１において、ボディ側制御部１０３は、交換レンズ２００から絞りバラツキ誤差情報AvOfs を取得してステップＳ２０２へ進む。絞りバラツキ誤差情報AvOfs は、絞り２２０を絞り込んだときに生じる開口径のばらつきに伴う絞り値の設定誤差である。たとえば、絞り２２０の絞り込み駆動を繰り返し行う場合において、実際に設定される絞り値の最大値と最小値との差をとって絞りバラツキ誤差情報AvOfs とする。
【００２９】
上記設定誤差は、結像光学系２１０と絞り２２０のメカ精度や絞り駆動部２１１のガタ量などに起因する。この設定誤差による影響は、絞り２２０を駆動した後の口径によって異なる。具体的には、絞り２２０を介して取り込まれる光量に対して上記設定誤差が与える影響は、絞り２２０の口径を小さく絞り込むほど大きくなる。
【００３０】
このため、本実施形態では、予め実測値に基づいて絞り値と絞りバラツキ誤差情報AvOfs との関係を示すデータをＲＯＭ２１５内に記録しておく。交換レンズ２００のレンズ側制御部２０３は、絞り値ごとの実測値に基づいた絞りバラツキ誤差情報AvOfs をそれぞれカメラボディ１００へ送信する。
【００３１】
ステップＳ２０２において、ボディ側制御部１０３は、レリーズスイッチがオン操作されたか否かを判定する。レリーズスイッチは、レリーズボタン１０７の全押し操作に連動してオンし、全押し操作が解除されるとオフするように構成されている。レリーズスイッチのオンは撮影指示に相当する。ボディ側制御部１０３は、レリーズスイッチがオンするとステップＳ２０２を肯定判定してステップＳ２０３へ進む。ボディ側制御部１０３は、レリーズスイッチがオンしない場合はステップＳ２０２を否定判定して当該判定処理を繰り返す。
【００３２】
なお、本実施形態では、上記撮影指示前において測光演算を繰り返し行うように構成されている。測光演算は、撮像素子１０４の出力に基づいて被写体輝度を算出する。被写体輝度は、露出や撮像素子１０４の感度などの撮影時の制御情報の決定に用いられる。測光時の絞り２２０は開放である。
【００３３】
ステップＳ２０３において、ボディ側制御部１０３は、予備発光時に露出オーバーになり得るか否かを判定する。例えば、日中シンクロ撮影する場合などは背景が明るいので、閃光装置３００が発光しない状態の反射光量（定常光による反射光量）レベルがもともと高い。この状態で予備発光をすると、反射光量がさらに高くなり、撮像素子１０４の出力値が画素出力値の限界値に達してしまう。このような露出オーバーの状態では、予備発光時の反射光量を正しく求めることが困難になる。ボディ側制御部１０３は、撮像素子１０４の出力値の最大値が所定の判定閾値を超えている場合にステップＳ２０３を肯定判定してステップＳ２１０へ進む。ボディ側制御部１０３は、撮像素子１０４の出力値の最大値が所定の判定閾値を超えていない場合には、ステップＳ２０３を否定判定してステップＳ２０４へ進む。
【００３４】
ステップＳ２１０へ進む場合は、定常光による反射光量レベルが高い場合である。ボディ側制御部１０３は、ステップＳ２１０において、閃光装置３００の予備発光に先立って絞り２２０を予備発光時の絞りAvp へ絞り込むように駆動制御する。例えば、予備発光時の絞りAvp は、予備発光時に撮像素子１０４に設定されている感度を用いて次式（１）により算出する。絞りAvp の単位系はＡＰＥＸである。
Avp ＝ AvSvConst − Svp                   …（１）
上式（１）において、AvSvConst は絞りAvp を適正に決定するための定数項である。Svp は撮像素子１０４の感度であり、例えばＡＰＥＸ単位系において５（ＩＳＯ１００相当）の値をとる。ボディ側制御部１０３は、交換レンズ２００へ絞り駆動指示を送るとステップ２１１へ進む。交換レンズ２００の絞り２２０を上記絞りAvp に対応する絞り値Ｆpへ絞り込むことで、予備発光時の露出オーバーを避けられる。
【００３５】
ステップＳ２１１において、ボディ側制御部１０３は、駆動後の絞り値Ｆpに対応する絞りバラツキ誤差情報AvOfs が所定の判定閾値Av_Th より大か否かを比較する。判定閾値Av_Th は、本発光量の算出誤差を許容範囲内に抑えるために予め決められた値である。ボディ側制御部１０３は、Av_Th＜AvOfs が成立する場合にステップＳ２１１を肯定判定してステップＳ２１２へ進む。ボディ側制御部１０３は、Av_Th＜AvOfs が成立しない場合には、ステップＳ２１１を否定判定してステップＳ２０４へ進む。
【００３６】
ステップＳ２１２において、ボディ側制御部１０３は、交換レンズ２００へ絞り駆動指示を送り、絞り２２０の口径を１段開かせてステップＳ２１１へ戻る。これにより、ステップＳ２１１を否定判定するまで（すなわち、絞りバラツキ誤差情報AvOfs が所定の判定閾値Av_Th 以下になるまで）１段ずつ絞り２２０の口径が広がる。ボディ側制御部１０３は、絞り口径を開駆動した場合に、開駆動後の絞り値を新たにＦpとする。
【００３７】
ステップＳ２０３を否定判定した場合のボディ側制御部１０３は、もともと設定されている絞り値（本例では開放絞り値）をそのまま予備発光時の絞り値Ｆpとする。ステップＳ２０４において、ボディ側制御部１０３は閃光装置３００に対して予備発光実行の指示を行う。ボディ側制御部１０３は、閃光装置３００から発光準備完了（充電完了）を示す信号を取得した場合に、予備発光タイミング信号を閃光装置３００へ送信してステップＳ２０５へ進む。これにより、閃光装置３００が所定の予備発光量で発光部３０４を発光させる。予備発光時の発光量を示す情報（予備発光時のガイドナンバーGnp）は、閃光装置３００からボディ側制御部１０３へ送信される。
【００３８】
ステップＳ２０５において、ボディ側制御部１０３は、上記予備発光と同期するように撮像素子１０４を蓄積制御し、撮像素子１０４の出力に基づいて反射光量を取得する。具体的には、予備発光時の撮像素子１０４の出力に基づいて得られる評価値と、非発光時の撮像素子１０４の出力に基づいて得られる評価値との差分を求める。ボディ側制御部１０３は、このように反射光量を取得するとステップＳ２０６へ進む。
【００３９】
ステップＳ２０６において、ボディ側制御部１０３は、次式（２）により撮影時の本発光量Gnを算出する。
Gn＝Ｋ×Gnp×Ｆ／Ｆp×(１／Ｐr)１／２        …（２）
ただし、Ｋは、本発光量Gnを算出するための定数項である。Gnpは、予備発光時のガイドナンバーである。Ｆは撮影時の絞り値であり、上述した測光演算に基づいて決定する。Ｆpは予備発光時の絞り値である。Ｐrは、ステップＳ２０５で取得した予備発光のみによる反射光量である。
【００４０】
ステップＳ２０７において、ボディ側制御部１０３は、絞り２２０を駆動して撮影時の絞り値Ｆにするように交換レンズ２００へ指示を送ってステップＳ２０８へ進む。
【００４１】
ステップＳ２０８において、ボディ側制御部１０３は、撮像素子１０４の蓄積制御を開始させるとともに、閃光装置３００へ指示を送り、撮像素子１０４の蓄積（撮影）に同期するように上式（２）で算出した撮影時のガイドナンバーGn で本発光させる。ボディ側制御部１０３は、所定時間経過後に撮像素子１０４の蓄積を終了させる。
【００４２】
ステップＳ２０９において、ボディ側制御部１０３は、撮像素子１０４の出力に基づいて所定の処理を行い、処理後の画像データファイルを不図示の記憶媒体へ記録して図３による処理を終了する。
【００４３】
以上説明した実施形態によれば、次の作用効果が得られる。
（１）カメラボディ１００は、閃光撮影前の予備発光と閃光撮影時の本発光とを行う閃光装置３００へ発光を指示するボディ側制御部１０３と、交換レンズ２００を通して予備発光時の反射光を測光するボディ側制御部１０３と、予備発光時の交換レンズ２００の絞り２２０の絞り値、予備発光時の閃光装置３００による発光量、およびボディ側制御部１０３による測光結果に基づいて本発光量を演算するボディ側制御部１０３と、本発光量で本発光を行うように閃光装置３００を制御するボディ側制御部１０３と、絞り２２０の絞りバラツキ誤差情報AvOfs に基づいて、予備発光時に絞り込む絞り値を制限するボディ側制御部１０３と、を備えるようにしたので、予備発光時の反射光量に基づいて、適切に閃光撮影時の本発光量を決定することができる。
【００４４】
（２）上記（１）のカメラボディ１００において、絞り２２０の絞りバラツキ誤差情報AvOfs は、絞り込み後の開口径のばらつきを表すので、予備発光時に駆動する絞りのばらつき誤差に起因する本発光量の誤差を適切に抑えることができる。
【００４５】
（３）上記（２）カメラボディ１００において、絞り２２０の絞りバラツキ誤差情報AvOfs は、絞り２２０に設定される絞り値ごとの値を有し、ボディ側制御部１０３は、上記ばらつきを所定値以下とする絞り値に制限するようにしたので、適切に閃光撮影時の本発光量を決定することができる。
【００４６】
（４）上記（１）〜（３）のカメラボディ１００において、交換レンズ２００との間で通信を行う第１通信部１１７、第２通信部１１８をさらに備え、ボディ側制御部１０３は、第１通信部１１７、第２通信部１１８を介して受信した絞り２２０の絞りバラツキ誤差情報AvOfs に基づいて、予備発光時に絞り込む絞り値を制限するようにした。交換レンズ２００側から受信した絞りバラツキ誤差情報AvOfs を用いることで、カメラボディ１００内に絞りバラツキ誤差情報AvOfs を記憶しておかなくても適切な補正が可能である。とくに、交換レンズ２００の種類が多い場合は好適である。
【００４７】
（５）上記（４）のカメラボディ１００において、交換レンズ２００は、結像光学系２１０および絞り２２０の絞りバラツキ誤差情報AvOfs を記憶するＲＯＭ２１５を含むように構成したので、絞りバラツキ誤差情報AvOfs が交換レンズ２００ごとに異なる場合でも、適切な補正が可能である。
【００４８】
（変形例１）
一般に、設定絞り値と実際の絞り値との間の設定誤差には、絞り２２０を駆動（設定変更）する度に再現される再現性のある誤差（オフセット成分）と、絞り２２０を駆動（設定変更）する度に異なる再現性のない誤差（ばらつき成分）とが存在する。上述した説明においては、設定誤差について再現性のない誤差を取り扱う例を説明した。
【００４９】
これに代えて、絞り２２０の設定誤差について再現性のある誤差と再現性のない誤差とを区別しないで含めるようにしてもよい。この場合には、絞りバラツキ誤差情報AvOfs に再現性のある誤差と再現性のない誤差とを合わせて絞りバラツキ誤差情報AvOfs とする。
【００５０】
（変形例２）
閃光装置３００としてカメラボディ１００に装着する外付けタイプの例を説明したが、カメラボディ１００に閃光装置を内蔵するように構成してもよい。
【００５１】
（変形例３）
レンズ交換式のカメラシステムを例に説明したが、レンズ一体型のカメラにも本発明を適用して構わない。
【００５２】
以上の説明はあくまで一例であり、上記の実施形態の構成に何ら限定されるものではない。
【符号の説明】
【００５３】
１…カメラシステム
１００…カメラボディ
１０３…ボディ側制御部
１０５…アクセサリー取り付け部
１１７…ボディ側第１通信部
１１８…ボディ側第２通信部
２００…交換レンズ
２０３…レンズ側制御部
２１０…結像光学系
２１１…絞り駆動部
２１４…絞り位置検出部
２１５…ＲＯＭ
２２０…絞り
３００…閃光装置
３０３…閃光装置側制御部
３０４…発光部
【図１】
2013134311.tif 000003
【図２】
2013134311.tif 000004
【図３】
2013134311.tif 000005